(57)【要約】      （修正有）【課題】シンプルな構成でも窓側から外周側への電気的接合度が従来よりも安定して高く、優れた電磁波シールド性能が良好に確保できる電磁波シールドルームの窓構造の提供。【解決手段】各導電性メッシュ構造が二枚の透明機材の外周端から突出して外側に延びる縁部を全周に亘って有し、窓枠の嵌合部は、透明板保持部にて二枚の透明機材の外周端部を導電性メッシュ構造の縁部がその延長方向に通過可能に保持し、固定部にてその各導電性メッシュ構造の外周端領域が当接する一対の導電性金属製の壁面部に対して、導電性メッシュ構造上に少なくとも部分的に重ねられた弾性を有するテープ状導電性ガスケットと導電性金属製押さえ板とを貫通して、各導電性メッシュ構造の外周端領域を全周に亘り所定間隔毎に導電性金属製ボルトでネジ止め固定する、二枚の透明機材の間に透明接着剤層を介して導電性メッシュ構造が挟み込まれた電磁波シールドルームの窓構造。【選択図】図５
2014192391.tif 000002
【特許請求の範囲】
【請求項１】
一対の光透過性電磁波シールド板と、これら一対の光透過性電磁波シールド板の外周に嵌合すると共に、電磁波シールドルームの壁面を構成する電磁波シールドパネルに形成された開口部に嵌め込まれて該電磁波シールドパネルと電気的に接合される導電性金属製の窓枠と、を備えた電磁波シールドルームの二重窓構造において、
前記一対の光透過性電磁波シールド板は、それぞれ、二枚の透明機材と、その間に透明接着剤層を介して挟み込まれた導電性メッシュ構造とを備え、該導電性メッシュ構造は、二枚の透明機材より面積が大きく、二枚の透明機材の外周端から突出して外側に延びる縁部を全周に亘って有しており、
前記窓枠は、一対の光透過性電磁波シールド板の外周部を互いに予め定められた間隔を持って平行に保持する嵌合部を備え、該嵌合部は、二枚の透明機材の外周端部を前記導電性メッシュ構造の縁部をその延長方向に通過可能に保持する透明機材保持部と、該透明機材保持部を通過して延在する各導電性メッシュ構造の縁部の外周端領域に当接する互いに対向する一対の導電性金属製の壁面部とが一体的に設けられ、これら壁面部に対して各導電性メッシュ構造の外周端領域を全周に亘って所定間隔毎に固定する固定部をさらに有し、
前記固定部は、前記壁面部に当接している導電性メッシュ構造上に少なくとも部分的に重ねられた弾性を有するテープ状導電性ガスケットと、該テープ状導電性ガスケット上に載置された導電性金属製押さえ板と、これらテープ状導電性ガスケット及び導電性金属製押さえ板を貫通して前記壁面部に前記所定間隔毎にネジ止め固定された複数個の導電性金属製ボルトとを備えていることを特徴とする電磁波シールドルームの窓構造。
【請求項２】
前記テープ状導電性ガスケットは、非導電性弾性基材の表面に導電性ワイヤーメッシュが被覆されているものであることを特徴とする請求項１に記載の電磁波シールドルームの窓構造。
【請求項３】
前記一対の壁面部は、同一の断面略四角形の管状部材の二側面であることを特徴とする請求項１又は２に記載の電磁波シールドルームの窓構造。
【請求項４】
前記窓枠は、少なくとも前記一対の壁面部がオーステナイト系ステンレスからなることを特徴とする請求項１〜３のいずれか１項に記載の電磁波シールドルームの窓構造。
【請求項５】
前記窓枠は、室内側室外側の両側に、それぞれ全固定部のボルトヘッド側を覆うカバー部材を取り外し可能に備えていることを特徴とする請求項１〜４のいずれか１項に記載の電磁波シールドルームの窓構造。
【発明の詳細な説明】
【技術分野】
【０００１】
本発明、例えばＭＲＩ検査室等に採用される電磁波シールドルームに設けられる透光性の窓構造に関するものである。
【背景技術】
【０００２】
現在、各種電気・電子機器において、その電磁環境が他からの電磁干渉によって汚染されることなく、同時に他の電磁環境に干渉、妨害を生じるような不要な電磁波を放出することがないという電磁環境両立性、所謂ＥＭＣ（Electromagnetic Compatibility)の対策は、その機器が正しく機能し、充分な性能を発揮するためには欠かせないものとなっている。
【０００３】
このようなＥＭＣ対策は、大型の医療機器においても同様に必要であることはいうまでもない。特に核磁気共鳴画像振動装置、所謂ＭＲＩ装置は、磁場内に置かれた人体の水素原子核にある特定の高周波磁場で共鳴現象を生じせしめてエネルギーの吸収と放出を起こさせ、該水素原子核から放出されたエコー信号を捉えて画像化するものであり、非常に強力な磁界の発生源であると共に、正確な診断のための信号受信において電磁環境の汚染を防止しなければならないものである。
【０００４】
従って、ＭＲＩ装置は、通常電磁波シールドルームで構築された検査室内に載置されている。この電磁波シールドルームの基本構成は、簡便なものとして、磁性板からなる電磁波シールドパネルを連結して室の側壁面、天井面、床面を形成するものが挙げられる（例えば、特許文献１、特許文献２参照）。
【０００５】
このような電磁波シールドパネルで囲まれることによって、ＭＲＩ装置が周りを磁性体で囲まれ、その磁性体によって磁力線の通り道が確保されることによって、磁力線の外部からの侵入及び内部からの漏洩が遮断される。従って、各パネル同士は、磁力線の通り道が分断されることのないように連結されている。
【０００６】
なお、開閉ドアは、周囲の壁側磁性板とドアの磁性板との間に導電性部材を介在させることにより、ドア閉状態にて両磁性板間に電気的接続が実現され、磁力線の通り道が確保されている。電磁波シールドパネル材としては、鋼板性パネルを用いたものや、アルミニウム製又はアルミニウム合金製のパネルを用いて軽量化を図ったものもある。
【０００７】
このような電磁波シールドルームは、ＭＲＩ検査時には密閉状態となるため、特に閉所恐怖症や小児の被験者には心的負担が大きく、検査が行えない場合もあった。また、被験者の状況を外部から観察することもできなかった。そこで、電磁波シールドルームに窓を設置することが望まれ、電磁波シールド機能を有する窓が開発されている。
【０００８】
電磁波シールド用の窓部材としては、ガラスや透明合成樹脂製の透明板を２枚重ねとしてこれらの間に電磁波シールド機能を付与するための金属線製メッシュが導電体シートとして挟み込まれた電磁遮蔽ガラス（特許文献３参照）が採用できる。この導電体シートは、２枚の透明板の外周端から縁部を突出させ、該縁部を一方の透明板の表面まで折り曲げた状態でこれを覆って導電性テープを両透明板を跨がって両表面に接着させると共に、該電磁遮蔽ガラスの外周に嵌合する窓枠に導電性部材を被覆し、該導電性部材被覆部と導電性テープとの間にチューブ状の導電性弾性部材を配置することにより、これら導電性テープと導電性弾性部材とを介して導電体シートを窓部周辺の壁面を構成する電磁シールドパネルが導通されている。
【０００９】
一方、ＭＲＩ装置の電磁波シールドルーム用窓においては、窓を通して向こう側の状況が視認できるようにある程度の透明性が必要であるため、導電体シートにも、少なくとも５０％の可視光透過率が求められる。しかも、同時に高い電磁波シールド性能、例えば３０ＭＨｚ〜１５０ＭＨｚの電磁波を１００ｄＢ以上遮蔽する性能が要求されることもある。これを実現するためには、導電体シートを構成しているメッシュの繊維の径を細くすると共に、メッシュ密度を高めることが最も有効である。
【００１０】
しかし、金属線製メッシュでは、金属線を５μｍ以下の細径にまですると縒れが生じて直線性が得られ難く、メッシュの織り密度を１００本／１インチ以上と高密度にすると製織性が悪くなってしまうため、織られたメッシュの光透過性は期待されたものより大幅に低くなってしまう。
【００１１】
一方、合成繊維又は天然繊維の外周に金属酸化膜を表面に有する導電性金属層を付与したものを製織した導電性メッシュ織物（特許文献４参照）、或いは、導電性金属層を付与した繊維を製織してなるメッシュ織物の表面に黒色導電性金属皮膜を形成した導電性メッシュ織物（特許文献５参照）が開発されている。
【００１２】
これらの導電性繊維メッシュは、既に２０〜５０μｍもの繊維径および１インチ当たり最大３００本の織り密度が実現されており、しかも表面に黒色層によるツヤ消しで光の反射、散乱が抑えられるものである。従って、このような導電性繊維メッシュを透明板間に挟み込む導電体シートとして用いることで、優れた電磁波シールド効果と良好な光透過性との双方を備えた電磁波シールド窓が実現できた。
【先行技術文献】
【特許文献】
【００１３】
【特許文献１】特公平７−１０９９５０号公報
【特許文献２】特開２００８−２５５６１７号公報
【特許文献３】特許第３３７５０５７号公報
【特許文献４】特開２００３−２５４７０号公報
【特許文献５】特許第４６３４０６３号公報
【発明の概要】
【発明が解決しようとする課題】
【００１４】
しかしながら、上記の様な導電性繊維メッシュを用いて電磁波シールド窓を構成する場合でも、図７及び図８に示すように、導電性の窓枠Ｓとの嵌合部において、２枚のガラス（Ｇ１，Ｇ２）の間に挟み込まれた導電性繊維メッシュＭは、導電性テープＴとチューブ状導電性弾性部材Ｅを介して、窓外周の電磁波シールドパネルＰと導通している窓枠Ｓに電気的に接続されていた。
【００１５】
しかし、このように、導電性繊維メッシュＭと窓枠Ｓとの間の電気的接続を得るのに複数の導電性部材を介在させる構成では、その電気的接合度が不安定で、導電性の低下を招き、所望の電磁波シールド性能が得られなくなるおそれがある。
【００１６】
これは、特にチューブ状導電性弾性部材Ｅと窓枠Ｓとの接触部において、窓枠表面の微小な凹凸に対して電気的密着度にバラツキがあることが原因と考えられる。しかも、チューブ状導電性弾性部材Ｅとして、芯材が非導電性のシリコンチューブでその表面導電性ＳＵＳ鋼ワイヤーを巻いた、所謂ワイヤーメッシュガスケットを使用すると、これにより余計なＲＬＣ回路が形成されて電気的な抵抗となってしまうことも考えられる。
【００１７】
本発明の目的は、上記問題点に鑑み、シンプルな構成でありながら、窓側から外周側への電気的接合度が従来よりも安定して高く、優れた電磁波シールド性能が良好に確保できる電磁波シールドルームの窓構造を提供することにある。
【課題を解決するための手段】
【００１８】
上記目的を達成するため、請求項１に記載の発明に係る電磁波シールドルームの窓構造は、一対の光透過性電磁波シールド板と、これら一対の光透過性電磁波シールド板の外周に嵌合すると共に、電磁波シールドルームの壁面を構成する電磁波シールドパネルに形成された開口部に嵌め込まれて該電磁波シールドパネルと電気的に接合される導電性金属製の窓枠と、を備えた電磁波シールドルームの二重窓構造において、
前記一対の光透過性電磁波シールド板は、それぞれ、二枚の透明機材と、その間に透明接着剤層を介して挟み込まれた導電性メッシュ構造とを備え、該導電性メッシュ構造は、二枚の透明機材より面積が大きく、二枚の透明機材の外周端から突出して外側に延びる縁部を全周に亘って有しており、
前記窓枠は、一対の光透過性電磁波シールド板の外周部を互いに予め定められた間隔を持って平行に保持する嵌合部を備え、該嵌合部は、二枚の透明機材の外周端部を前記導電性メッシュ構造の縁部をその延長方向に通過可能に保持する透明機材保持部と、該透明機材保持部を通過して延在する各導電性メッシュ構造の縁部の外周端領域に当接する互いに対向する一対の導電性金属製の壁面部とが一体的に設けられ、これら壁面部に対して各導電性メッシュ構造の縁部の外周端領域を全周に亘って所定間隔毎に固定する固定部をさらに有し、
該固定部は、前記壁面部に当接している導電性メッシュ構造上に少なくとも部分的に重ねられた弾性を有するテープ状導電性ガスケットと、該テープ状導電性ガスケット上に載置された導電性金属製押さえ板と、これらテープ状導電性ガスケット及び導電性金属製押さえ板を貫通して前記壁面部に前記所定間隔毎にネジ止め固定された複数個の導電性金属製ボルトとを備えていることを特徴とするものである。
【００１９】
請求項２に記載の発明に係る電磁波シールドルームの窓構造は、請求項１に記載の電磁波シールドルームの窓構造において、前記テープ状導電性ガスケットは、非導電性弾性基材の表面に導電性ワイヤーメッシュが被覆されているものである。
【００２０】
請求項３に記載の発明に係る電磁波シールドルームの窓構造は、請求項１又は２に記載の電磁波シールドルームの窓構造において、前記一対の壁面部は、同一の断面略四角形の管状部材の二側面であることを特徴とするものである。
【００２１】
請求項４に記載の発明に係る電磁波シールドルームの窓構造は、請求項１〜３のいずれか１項に記載の電磁波シールドルームの窓構造において、前記窓枠は、少なくとも前記一対の壁面部がオーステナイト系ステンレスからなることを特徴とするものである。
【００２２】
請求項５に記載の発明に係る電磁波シールドルームの窓構造は、請求項１〜４のいずれか１項に記載の電磁波シールドルームの窓構造において、前記窓枠は、室内側室外側の両側に、それぞれ全固定部のボルトヘッド側を覆うカバー部材を取り外し可能に備えていることを特徴とするものである。
【発明の効果】
【００２３】
本発明の電磁波シールドルームの窓構造によれば、光透過性電磁波シールド板と窓枠との嵌合部で余計なＲＬＣ回路が形成されることなくシンプルな回路で光透過性電磁波シールド板から延在する導電性メッシュ構造が直接的に、しかもボルト締めによる機械的に強固に窓枠に電気的に接合されるため、高い電気的接合度が安定して実現され、窓側から外周側への導電性の低下もなく、優れた電磁波シールド性能が良好に確保できるという効果がある。
【図面の簡単な説明】
【００２４】
【図１】本発明の一実施例による電磁波シールドルームの窓構造の概略正面図である。
【図２】図１の窓構造のカバー部材を外しt状態の概略正面図である。
【図３】図１のＹ−Ｙ矢視断面図である。
【図４】図１のＸ−Ｘ矢視断面図である。
【図５】図４の拡大図である。
【図６】図１の窓構造が組み込まれた電磁波シールドパネルの概略平面図である。
【図７】従来の電磁波シールドルームの窓構造の一例を示す概略部分断面図であり、縦断面図である。
【図８】図４の窓構造の概略横断面図である。
【発明を実施するための形態】
【００２５】
本発明の電磁波シールドルームの窓構造においては、一対の光透過性電磁波シールド板と、これら一対の光透過性電磁波シールド板の外周に嵌合すると共に、電磁波シールドルームの壁面を構成する電磁波シールドパネルに形成された開口部に嵌め込まれて該電磁波シールドパネルと電気的に接合される導電性金属製の窓枠と、を備えた電磁波シールドルームの二重窓構造であり、一対の光透過性電磁波シールド板のそれぞれが、二枚の透明機材の間に透明接着剤層を介して導電性メッシュ構造を挟み込んで構成されるものであり、該導電性メッシュ構造の面積を二枚の透明機材より大きくし二枚の透明機材に挟まれた状態での縁部が全周に亘って二枚の透明機材の外周端から突出して外側に延びるものである。そして、窓枠に備えられた嵌合部によって、一対の光透過性電磁波シールド板の外周部が、互いに予め定められた間隔を持って平行に保持されるものである。
【００２６】
さらに、前記嵌合部は、導電性メッシュ構造の縁部をその延長方向に通過させた状態で二枚の透明機材の外周端部を保持する透明機材保持部と、該透明機材保持部を通過して延在する各導電性メッシュ構造の縁部の外周端領域に当接する互いに対向する導電性金属製の一対の壁面部とを一体的に有し、これら壁面部に対して、固定部によって各導電性メッシュ構造の縁部の外周端領域を全周に亘って所定間隔毎に固定するものであり、固定部は、対応する壁面部に当接している導電性メッシュ構造上に少なくとも部分的に弾性を有するテープ状導電性ガスケットと導電性金属製押さえ板とが重ねられた状態で、これらテープ状導電性ガスケット及び導電性金属製押さえ板を前記壁面部に前記所定間隔毎に複数個の導電性金属製ボルトでネジ止め固定するものである。
【００２７】
以上の構成により、各導電性メッシュ構造は、窓枠の一対の壁面部に対してテープ状導電性ガスケットを介して押さえ板の面で押圧された状態でボルト締めされるため、第１と第２の導電性メッシュ構造と窓枠とはほぼ直接的に電気的接続がなされると同時に、その接合は機械的に強固なものでもある。しかも、壁面部と導電性金属製押さえ板の間に導電性メッシュ構造が部分的に押さえつけられている場合であっても、テープ状導電性ガスケットの弾性によってその密着度は高い。
【００２８】
従って、本発明の窓構造においては、各導電性メッシュ構造は、二枚の透明機材から外側に突出する縁部の外周部が、窓枠に直接的に電気的に接続されるものであり、従来のようにガラス表面に沿って折り曲げられた状態で導電性テープ及びチューブ状の導電性弾性体を介して窓枠に電気的接合がなされる際のチューブ状導電性弾性部材の電気的密着度のバラツキや、電気的抵抗となり得る余分なＲＬＣ回路が形成されることもなく、従来よりも、導電性メッシュ構造と窓枠との安定した高い電気的接合度が機械的にも強固な状態で実現する。よって、窓側から外周壁側の電磁波シールドパネルへの導電性の低下もなく、窓付きの電磁波シールドルームとして、優れた電磁波シールド性能が良好に確保できる。
【００２９】
なお、本発明において、固定部で押さえ板の下で導電性メッシュ構造を押圧するテープ状導電性ガスケットとしては、弾性を有すると共に少なくとも表面に導電性を有するものであれば良い。例えば、テープ状のポリウレタンフォームや合成樹脂合成ゴム等のゴム質弾性体など、非導電性で弾性を有するテープ状基材の外表面に導電性金属フィルムやワイヤーメッシュを被覆したものが挙げられる。このようなテープ状導電性ガスケットは、従来よりＥＭＩガスケットとして用いられている市販のものが対応可能である。
【００３０】
また、本発明では、前記固定部は、部材の貫通を伴うボルト締めでなされるため、窓枠の、少なくとも一対の壁面部は、強度に優れた金属が望まれる。例えば、ＳＵＳ３０４等、オーステナイト系ステンレスが、耐食性、靭性、延性、加工性に優れていると同時に汎用性のある素材であることから、好適である。
【００３１】
さらに、この一対の壁面部は、互いに間隔を持って平行に配置されるものであることから、同一の断面略四角形状の管部材の二側面で構成すれば、離れた位置にそれぞれ壁面部を別個に形成するのに比べて窓枠の設計、製造が簡便となり、好ましい。
【００３２】
また、窓枠は、第１と第２の光透過性電磁波シールド板の装着後は、窓の室内側室外側の両側にボルトヘッドが露呈することになるため、これを覆うカバー部材を設けることが望ましい。この場合、カバー部材は取り外し可能とすることで、後の光透過性電磁波シールド板の交換作業等が容易となる。
【００３３】
なお、各光透過性電磁波シールド板を構成する二枚の透明機材には、ガラス板や透明合成樹脂製の板やフィルム、シート等が採用可能である。さらに二枚の透明機材の間で導電性メッシュ構造を固定するための接着層を成す接着剤としては、透明性と共に高い強度のものが望まれる。各種合成樹脂系接着剤が対応可能であるが、例えば、ポリビニルブチラール（ＰＶＢ）樹脂の接着剤は、高い透明性と耐衝撃性から安全ガラスの中間膜に使用されていることから、本発明においても最も好ましい接着剤の一つである。
【００３４】
また、導電性メッシュ構造としては、導電性繊維をメッシュ状に製織した導電性繊維メッシュや、導電性シート、フィルムをメッシュ状に打ち抜いたものなどが採用できるが、窓の向こう側が目視できる窓機能を確保するため、可視光の透過率が５０％以上のものが望ましい。本発明の場合、実質的に導電性メッシュ構造は二枚重ねの配置に相当するものとして、二枚重ねでこの光透過率を得られるものとするのがさらに望ましい。加えて、ＭＲＩ装置に対応した電磁波シールド機能を確保すべく、繊維が５μｍ以下の細径で織り密度が１００本／１インチ以上の高密度のメッシュが望ましい。これは、例えば前述の特許文献４及び５に開示されているものが対応する。
【実施例】
【００３５】
本発明の一実施例として、導電性メッシュ構造に導電性繊維メッシュを、透明機材にガラスまたは合成樹脂製の透明板を用いた電磁波シールドルームの二重窓構造を以下に示す。図１は、本実施例による窓構造の概略正面図であり、図２は該窓構造のカバー部材を外した状態の概略正面図である。図３は図１のＹ−Ｙ矢視断面図であり、窓枠の側面を示すものであり、図４は図１においてＸ−Ｘ矢視部分の概略縦断面図である。さらに図５には図４の断面図を拡大したものを示す。
【００３６】
本実施例による窓構造では、１対の光透過性電磁波シールド板（１Ａ，１Ｂ）が、主に導電性金属性、例えばＳＵＳ３０４等のステンレスからなる窓枠１０に嵌合され、該窓枠１０が、図１，５の正面図に示すように、電磁波シールドルームの壁面を構成する電磁波シールドパネルＰに形成された開口部Ｏに嵌め込まれるものである。両者の連結は、窓枠１０の外周に延在する導電性フランジＦと電磁波シールドパネルＰの開口部内周領域とを重ね合わせてシート状導電性ガスケットＫを介して表裏側からボルト・ナット（Ｂ・Ｎ）締めで固定することにより電気的接合が完了するものとした。
【００３７】
一対の光透過性電磁波シールド板（１Ａ，１Ｂ）は、それぞれ、第１の透明板（２Ａ、２Ｂ）とこれより若干面積の小さい第２の透明板（３Ａ，３Ｂ）の間に、ＰＶＢ接着剤から成る透明接着剤層（４Ａ，４Ｂ）を介して導電性繊維メッシュ（５Ａ，５Ｂ）が挟み込まれており、この導電性繊維メッシュ（５Ａ，５Ｂ）は第１の透明板（２Ａ，２Ｂ）より面積が大きく、二枚の透明板の外周端から突出する縁部（６Ａ，６Ｂ）が全周に亘って外側に延在している。
【００３８】
窓枠１０は、枠内で一対の光透過性電磁波シールド板（１Ａ，１Ｂ）の外周部を互いに予め定められた間隔を持って平行に保持する一対の嵌合部（１１Ａ，１１Ｂ）を備えている。各嵌合部は（１１Ａ，１１Ｂ）は、第１と第２の透明板の外周端部を、その間の、例えばニトリルゴム製やポリアセタール樹脂製のゴムブロックやセッティングブロック等１３を介して保持する透明板保持部（１２Ａ，１２Ｂ）を備えており、該透明板保持部（１２Ａ，１２Ｂ）は、その保持の際に導電性繊維メッシュの縁部（６Ａ，６Ｂ）を延長方向に通過させる形態を持つものである。
【００３９】
さらに嵌合部１１には、透明板保持部（１２Ａ，１２Ｂ）を通過して延在する導電性繊維メッシュの縁部（６Ａ，６Ｂ）の外周端領域が当接する互いに平行に対向する一対の壁面部（１４Ａ，１４Ｂ）を備えており、該一対の壁面部（１４Ａ，１４Ｂ）は、一つの断面略四角形状のＳＵＳ３０４製の管状部材１４の二側面で構成されるものとした。
【００４０】
さらに、各壁面部（１４Ａ，１４Ｂ）に対して、当接する各導電性繊維メッシュ縁部（６Ａ，６Ｂ）の外周端領域を全周に亘って所定間隔毎にステンレス製の六角ボルト（１８Ａ，１８Ｂ）でネジ止め固定する固定部（１５Ａ，１５Ｂ）が設けられている。固定部では、壁面部（１４Ａ，１４Ｂ）に当接している導電性繊維メッシュの縁部（６Ａ，６Ｂ）の外周端領域上に部分的に重ねられた弾性を有するテープ状導電性ガスケット（１６Ａ，１６Ｂ）と、該テープ状導電性ガスケット上に載置されたＳＵＳ３０４製の押さえ板（１７Ａ，１７Ｂ）と、これらテープ状導電性ガスケット（１６Ａ，１６Ｂ）及び押さえ板（１７Ａ，１７Ｂ）を貫通して壁面部（１４Ａ，１４Ｂ）に対して所定間隔毎にそれぞれ六角ボルト（１８Ａ，１８Ｂ）が金属製ワッシャ（１９Ａ，１９Ｂ）を介してネジ止め固定される。ここで、テープ状導電性ガスケット（１６Ａ，１６Ｂ）及び押さえ板（１７Ａ，１７Ｂ）は、いずれも導電性繊維メッシュ（５Ａ，５Ｂ）の外周端に沿うように四角枠状とした。
【００４１】
以上のような、各導電性繊維メッシュ（５Ａ，５Ｂ）の、テープ状導電性ガスケット（１６Ａ，１６Ｂ）を介した壁面部（１４Ａ，１４Ｂ）への固定によって、導電性繊維メッシュ（５Ａ，５Ｂ）はほぼ直接的に窓枠１０に電気的に接続される。しかも、ボルト締めによる固定であるため、機械的にも強固な接合である。また、壁面部（１４Ａ，１４Ｂ）と押さえ板（１７Ａ，１７Ｂ）の間に導電性繊維メッシュ（５Ａ，５Ｂ）が部分的に押さえつけられていても、テープ状導電性ガスケット（１６Ａ，１６Ｂ）の弾性によってその密着度は高い。
【００４２】
従って、本実施例における窓構造によれば、各導電性繊維メッシュ（５Ａ，５Ｂ）は、光透過性電磁波シールド板（１Ａ，１Ｂ）から外側に突出する縁部（６Ａ，６Ｂ）の外周端領域が、電気的密着度のバラツキや、電気的抵抗となり得る余分なＲＬＣ回路が形成されることもなく、窓枠１０に直接的に電気的に接続されるものであり、導電性繊維メッシュ（５Ａ，５Ｂ）と窓枠１０との安定した高い電気的接合度が実現し、これにより窓側から外周壁側の電磁波シールドパネルＰへの導電性の低下もなく、電磁波シールドルームの電磁波シールド性能が良好に確保できる。
【００４３】
なお、窓枠１０には、ボルトヘッドが露呈したままとならないように嵌合部（１１Ａ，１１Ｂ）を覆うカバー部材Ｃが室外側室内側の両側に設けられているが、該カバー部材Ｃは取り外し可能とすることで、後の光透過性電磁波シールド板（１Ａ，１Ｂ）等の交換など、作業が容易になる。
【符号の説明】
【００４４】
Ｓ，１０：窓枠
１Ａ，１Ｂ：光透過性電磁波シールド板
２Ａ，２Ｂ，３Ａ，３Ｂ：透明板
４Ａ，４Ｂ：透明接着剤層
Ｍ，５Ａ，５Ｂ：導電性繊維メッシュ
６Ａ，６Ｂ：導電性繊維メッシュの縁部
１１Ａ，１１Ｂ：嵌合部
１２Ａ，１２Ｂ：透明板保持部
１３：ゴムブロック、セッティングブロック
１４：管状部材
１４Ａ，１４Ｂ：壁面部
１５Ａ，１５Ｂ：固定部
１６Ａ，１６Ｂ，Ｋ：テープ状導電性ガスケット
１７Ａ，１７Ｂ：押さえ板
１８Ａ，１８Ｂ：六角ボルト
１９Ａ，１９Ｂ，Ｄ：ワッシャ
Ｃ：カバー部材
Ｆ：導電性フランジ
Ｐ：電磁波シールドパネル
Ｏ：（電磁波シールドパネルの）開口部
Ｂ・Ｎ：ボルト・ナット
Ｇ１，Ｇ２：ガラス
Ｔ：導電性テープ
Ｅ：チューブ状導電性弾性体
【図１】
2014192391.tif 000003
【図２】
2014192391.tif 000004
【図３】
2014192391.tif 000005
【図４】
2014192391.tif 000006
【図５】
2014192391.tif 000007
【図６】
2014192391.tif 000008
【図７】
2014192391.tif 000009
【図８】
2014192391.tif 000010